(57)【要約】【課題】コネクタに対する配線基板の抜き差しの作業効率を向上させることができる電気接続装置及びレンズ鏡筒を提供する。【解決手段】複数のコネクタ（１１ａ〜１１ｃ）が隣接して配置された電気基板（１０）と、複数のコネクタ（１１ａ〜１１ｃ）の挿入口にそれぞれ接点端子部（２１ａ〜２１ｃ）が挿抜される複数の配線基板（２）とを備え、複数のコネクタ（１１ａ〜１１ｃ）は、挿入口をそれぞれ同一方向へ向けて電気基板（１０）に実装され、複数の配線基板（２０）の接点端子部（２１ａ〜２１ｃ）は、それぞれの両側部（２２）に耳部が形成され、複数のコネクタ（１１ａ〜１１ｃ）のうち隣接するコネクタに挿抜される接点端子部（２１ａ〜２１ｃ）の耳部（２２）はコネクタ（１１ａ〜１１ｃ）に挿入された状態で挿抜方向に互いにずれているように配置されている。【選択図】図１
2011003702.tif 000002
【特許請求の範囲】
【請求項１】
複数のコネクタが隣接して配置された電気基板と、
前記複数のコネクタの挿入口にそれぞれ接点端子部が挿抜される複数の配線基板とを備え、
前記複数のコネクタは、前記挿入口をそれぞれ同一方向へ向けて前記電気基板に実装され、
前記複数の配線基板の前記接点端子部は、それぞれの両側部に耳部が形成され、
前記複数のコネクタのうち隣接するコネクタに挿抜される前記接点端子部の耳部は前記コネクタに挿入された状態で挿抜方向に互いにずれているように配置されていることを特徴とする電気接続装置。
【請求項２】
前記配線基板はフレキシブルプリント基板であることを特徴とする請求項１記載の電気接続装置。
【請求項３】
前記複数のコネクタ及び前記配線基板の前記接点端子部を介して前記電気基板と外部機器との間の信号の伝達が行われることを特徴とする請求項１又は２記載の電気接続装置。
【請求項４】
請求項１〜３のいずれか１項記載の電気接続装置を備えていることを特徴とするレンズ鏡筒。
【発明の詳細な説明】
【技術分野】
【０００１】
この発明は電気接続装置及びレンズ鏡筒に関する。
【背景技術】
【０００２】
従来、電気基板（配線基板）と、他の電気基板の接点端子を挿入するための挿入口を有する２つのコネクタとを備えた電気基板接続装置が知られている（下記公報参照）。この電気基板接続装置では、２つのコネクタは挿入口を同一方向に向けてほぼ平行に電気基板上に隣接配置され、一方のコネクタを他方のコネクタに対して電気基板の厚さ方向に相対移動させることができる。
【先行技術文献】
【特許文献】
【０００３】
【特許文献１】特開２００１−２０３４３２号公報
【発明の概要】
【発明が解決しようとする課題】
【０００４】
しかし、例えば電気基板接続装置の修理の際に下側の配線基板だけを引き抜こうとしても、上側の配線基板を引き抜かなければ下側の配線基板を引き抜くことができず、作業効率が悪いという問題がある。
【０００５】
この発明はこのような事情に鑑みてなされたもので、その課題はコネクタに対する配線基板の抜き差しの作業効率を向上させることができる電気接続装置及びレンズ鏡筒を提供することである。
【課題を解決するための手段】
【０００６】
前述の課題を解決するため請求項１記載の発明は、複数のコネクタが隣接して配置された電気基板と、前記複数のコネクタの挿入口にそれぞれ接点端子部が挿抜される複数の配線基板とを備え、前記複数のコネクタは、前記挿入口をそれぞれ同一方向へ向けて前記電気基板に実装され、前記複数の配線基板の前記接点端子部は、それぞれの両側部に耳部が形成され、前記複数のコネクタのうち隣接するコネクタに挿抜される前記接点端子部の耳部は前記コネクタに挿入された状態で挿抜方向に互いにずれているように配置されていることを特徴とする電気接続装置である。
【０００７】
請求項２記載の発明は、請求項１記載の電気接続装置において、前記配線基板はフレキシブルプリント基板であることを特徴とする。
【０００８】
請求項３記載の発明は、請求項１又は２記載の電気接続装置において、前記複数のコネクタ及び前記配線基板の前記接点端子部を介して前記電気基板と外部機器との間の信号の伝達が行われることを特徴とする。
【０００９】
請求項４記載の発明は、請求項１〜３のいずれか１項記載の電気接続装置を備えていることを特徴とするレンズ鏡筒である。
【発明の効果】
【００１０】
この発明によれば、コネクタに対する配線基板の抜き差しの作業効率を向上させることができる。
【図面の簡単な説明】
【００１１】
【図１】図１はこの発明の一実施形態に係る電気接続装置の平面図である。
【図２】図２（ａ）は電気基板をレンズ鏡筒内に組み込んだ状態を説明するための概念図、図２（ｂ）は図２（ａ）のＡ矢視図、図２（ｃ）は図２（ａ）のＢ矢視図である。
【図３】図３は図２（ａ）の矢印Ｃの方向から見たレンズ鏡筒の上半分の断面を示す概念図である。
【図４】図４は耳部が挿抜方向へずれていない複数の配線基板をコネクタに挿入する前の状態を示す参考図である。
【発明を実施するための形態】
【００１２】
以下この発明の実施の形態を図面に基づいて説明する。
【００１３】
図１はこの発明の一実施形態に係る電気接続装置１の平面図である。
【００１４】
図１には配線基板２０をコネクタ１１ａ〜１１ｃに挿入する前の状態が示されている。なお、電気基板１０上に実装される半導体パッケージ等の図示は省略されている。
【００１５】
電気接続装置１は、複数のコネクタ１１ａ〜１１ｅが隣接して配置された電気基板１０と、複数のコネクタ１１ａ〜１１ｃの挿入口（図示せず）に対してそれぞれ接点端子部２１ａ〜２１ｃが挿抜される複数の配線基板２０とを備えている。
【００１６】
電気基板１０は硬質基板であり、その表面には例えばシステム制御用の半導体パッケージ等の電子部品（図示せず）がはんだ付けによって実装されている。
【００１７】
コネクタ１１ａ〜１１ｃ及び接点端子部２１ａ〜２１ｃを介して、電気基板１０と配線基板２０に接続される他の電気基板（図示せず）との間の信号の伝達が行われる。コネクタ１１ａ〜１１ｃは矩形状の電気基板１０の長辺（寸法Ｌ）に沿って等間隔に配置され、その挿入口は同一方向（図１では下方）へ向いている。配線基板２０は図１の白抜き矢印で示す方向からコネクタ１１ａ〜１１ｃの挿入口に挿入される。
【００１８】
それぞれ他の電気基板に接続される接点端子部２１a〜２１ｃは、接点端子部２１ａがコネクタ１１ａの挿入口に、接点端子部２１ｂがコネクタ１１ｂの挿入口に、接点端子部２１ｃがコネクタ１１ｃの挿入口にそれぞれ挿入される。配線基板２０の他端部（図示せず）は、例えばブレ補正レンズを駆動するブレ補正モータの駆動制御回路、ブレ補正を行うか否かを切り換えるスイッチ及びズーム環の回転角を検出するズームエンコーダにそれぞれ接続される。
【００１９】
配線基板２０はフレキシブル・プリント・サーキット（ＦＰＣ）、フレキシブル・フラット・ケーブル（ＦＦＣ）等である。
【００２０】
接点端子部２１ａ〜２１ｃの両側部には耳部２２がそれぞれ形成されている。耳部２２はほぼ四角形であり、コネクタ１１ａ〜１１ｃの挿入口に接点端子部２１ａ〜２１ｃを挿入したとき、隣接する接点端子部２１ａ〜２１ｃ間で挿抜方向へ互いにずれるように形成されている。
【００２１】
なお、コネクタ１１ｄ，１１ｅはソフトウエアのデバッグ用に使用されるコネクタである。図１において、コネクタ１１ｄ，１１ｅに挿入される配線基板の図示は省略されている。
【００２２】
図２（ａ）は電気基板１０をレンズ鏡筒１００内に組み込んだ状態を説明するための概念図、図２（ｂ）は図２（ａ）のＡ矢視図、図２（ｃ）は図２（ａ）のＢ矢視図、図３は図２（ａ）の矢印Ｃの方向から見たレンズ鏡筒１００の上半分の断面を示す概念図である。なお、図３ではコネクタ１１ａ〜１１ｅ、接点端子部２１ａ〜２１ｃ等の図示は省略されている。
【００２３】
レンズ鏡筒１００は、レンズ群Ｌ１を保持する第１レンズ群保持部材２と、レンズ群Ｌ２及び絞り５を保持する第２レンズ群保持部材３と、レンズ群Ｌ３を保持する第３レンズ群保持部材４とを備えている。レンズ群Ｌ１はレンズＬ１１、Ｌ１２で構成され、レンズ群Ｌ２はレンズＬ２１、Ｌ２２で構成され、レンズ群Ｌ３はレンズＬ３１、Ｌ３２で構成される。なお、絞り５はレンズＬ２１とレンズＬ２２との間に配置されている。
【００２４】
レンズ鏡筒１００は図示しないカメラボディ等の光学機器に固定される固定筒１３０と、固定筒１３０に収容されたカム筒１４０とを備えている。固定筒１３０及びカム筒１４０は光軸Ｌ方向へ延びる円筒体であり、カム筒１４０は固定筒１３０の内周面に回転可能に嵌合している。カム筒１４０の内周側には、第２レンズ群保持部材３が配置されている。
【００２５】
カム筒１４０には、カムピン４１，４２，４３がそれぞれ挿入される複数のカム溝１４１，１４２，１４３が形成されている。
【００２６】
レンズ群Ｌ２及び絞り５の外周側にはフォーカス環１３１が配置されている。このフォーカス環１３１は固定筒１３０及び外観筒１２０と回転自在に嵌合している。フォーカス環１３１を回転させると、その回転はモータ保持部１３２等を介してカム筒１４０に伝達される。カム筒１４０が光軸Ｌ周りに回転することによってカムピン４１，４２，４３が光軸Ｌ方向に押され、レンズ群Ｌ２及び絞り５が光軸方向に移動する。
【００２７】
電気基板１０は外観筒１２０の内側に配置され、固定筒１３０にビス１５で光軸Ｌに平行な方向に固定されている。
【００２８】
外観筒１２０の内側には電気基板１０だけでなく他の電気基板５０も配置されている。
【００２９】
電気基板５０には例えば電力供給用コネクタ５１ｄ及びブレ補正モータ駆動用コネクタ５１ｅが配置されている。なお、コネクタ５１ｄ，５１ｅの挿入口に挿入される配線基板の図示は省略されている。電気基板５０は固定筒１３０の外周面にビス（図示せず）で固定されている。電気基板１０と電気基板５０とは周方向に９０°の間隔を置いて配置されている。
【００３０】
次に、電気接続装置１のレンズ鏡筒１００への取付方法を説明する。
【００３１】
まず、外観筒１２０が取り付けられていない状態で電気基板１０，５０を固定筒１３０にビス１５等で取り付ける。
【００３２】
次に、接点端子部２１ａ〜２１ｃをコネクタ１１ａ〜１１ｃの挿入口にピンセットを用いて挿入する。このとき、隣接する接点端子部２１ａ〜２１ｃの耳部２２が挿抜方向へ互いにずれているので、コネクタ１１ａ〜１１ｃが接近して配置されても、接点端子部２１ａ〜２１ｃをコネクタ１１ａ〜１１ｃの挿入口に挿入し易い。
【００３３】
その後、外観筒１２０を取り付けて電気基板１０，５０の周囲を覆う。
【００３４】
これに対し、耳部が挿抜方向へ互いにずれていない配線基板を用いた場合を図４に基づいて説明する。
【００３５】
図４は耳部２２２が挿抜方向へ互いにずれていない配線基板２２０をコネクタ１１ａ〜１１ｃの挿入口に挿入する前の状態を示す参考図であり、図１と共通する部分には同一符号を付してその説明を省略する。
【００３６】
隣接する接点端子部１２１ａ〜１２１ｃの耳部２２２が挿抜方向へ互いにずれていないので、この実施形態と同じ電気基板１０を使用する場合には、隣接する接点端子部１２１ａ〜１２１ｃの耳部２２２が重なり合い、コネクタ１１a〜１１ｃに接点端子部１２１a〜１２１ｃを順次挿入するときに既に挿入済みの他の耳部を破損してしまったり、修理時に特定の接点端子部だけを外すときに他の接点端子部も外してしまったりする虞がある。
【００３７】
この発明の実施形態によれば、隣接する接点端子部２１ａ〜２１ｃの耳部２２が挿抜方向へ互いにずれているので、電気基板１０を大きくすることなく（外観筒１２０の内径φＤを大きくすることなく）レンズ鏡筒１００の組立・修理時等の配線基板２０の抜き差しの作業を効率よく行うことができる。
【００３８】
なお、本実施形態では接点端子部２１ａ〜２１ｃを他の電気基板からの接点端子としたが、接点端子部２１ａ〜２１ｃの一部を外部の作動確認用測定機器と接続する接点端子とし、組立時に接点端子をコネクタに接続して作動を確認し、作動確認後は取り外す場合にも、他の接点端子部に影響を与えずに抜き差しの作業を効率良く行うことができる。
【符号の説明】
【００３９】
１：電気接続装置、１０：電気基板、１１ａ〜１１ｃ：コネクタ、２０：配線基板、２１ａ〜２１ｃ：接点端子部、２２：耳部、１００：レンズ鏡筒。
【図１】
2011003702.tif 000003
【図２】
2011003702.tif 000004
【図３】
2011003702.tif 000005
【図４】
2011003702.tif 000006